【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
事象を表わす信号（ＯＳ；ＯＳ１，ＯＳ２；ＯＳ３）を送信するための送信システムであって、第１の周期基準信号（ＬＦＳ）を発生するための第１の発生器（１０１）と、第２の基準信号（ＨＦＳ１，ＨＦＳ２；ＶＳ）を発生するための第２の発生器（１０６；９７−９９）と、前記第１の基準信号（ＬＦＳ）に基づいて第１の遅延（ΔＴＬ）を発生するとともに前記第２の基準信号（ＨＦＳ１，ＨＦＳ２；ＶＳ）に基づいて第２の遅延（ΔＴＨ；ΔＴＶ）を発生するようになっている処理手段（１０２，１０３，１０４；９６，１０７，１０９）と、前記第１（ΔＴＬ）および前記第２（ΔＴＨ；ΔＴＶ）の遅延の和によって規定される事象からの送信遅延（Δｔ１，Δｔ２；Δｔ３）を伴って、事象を表わす前記信号（ＯＳ；ＯＳ１，ＯＳ２；ＯＳ３）を送信するようになっている送信器（１０５）とを含み、前記第１および前記第２の遅延のうちの一方が他方よりも実質的に長い、送信システム。
【請求項２】
前記処理手段は、第１のカウンタ（１０２）を含むとともに、前記第１の基準信号（ＬＦＳ）の周期の予め設定された数（ＱＬＦ）に基づいて前記第１の遅延（ΔＴＬ）を発生するようになっている請求項１に記載の送信システム。
【請求項３】
前記処理手段は、前記第１の発生器（１０１）および前記第２の発生器（１０６；９７−９９）に接続される論理ユニット（１０３；１０９）を含む請求項１または２に記載の送信システム。
【請求項４】
前記第１の発生器（１０１）が同期パルスの発生器である請求項１〜３のいずれか一項に記載の送信システム。
【請求項５】
前記第１の発生器（１０１）が水晶振動子である請求項４に記載の送信システム。
【請求項６】
前記第２の発生器（１０６）が第２の周期基準信号（ＨＦＳ１，ＨＦＳ２）を発生するようになっており、前記処理手段は、第２のカウンタ（１０４）を含むとともに、前記第２の基準信号（ＨＦＳ１，ＨＦＳ２）の周期の予め設定された数（ＱＨＦ）に基づいて前記第２の遅延（ΔＴＨ）を発生するようになっている請求項１〜５のいずれか一項に記載の送信システム。
【請求項７】
前記第２の発生器（１０６）が同期パルスの発生器である請求項６に記載の送信システム。
【請求項８】
前記第２の発生器（１０６）がＲＣリング発振器である請求項７に記載の送信システム。
【請求項９】
前記第１（１０１）および前記第２（１０６）の発生器のうちの少なくとも一方と、前記第１（１０２）および前記第２（１０４）のカウンタとがＣＭＯＳスタティックタイプの論理に組み込まれる請求項６〜８のいずれか一項に記載の送信システム。
【請求項１０】
前記第１の周期基準信号（ＬＦＳ）が第１の周波数を有し、前記第２の周期基準信号（ＨＦＳ１，ＨＦＳ２）が前記第１の周波数よりも高い第２の周波数を有する請求項６〜９のいずれか一項に記載の送信システム。
【請求項１１】
前記第２の発生器（９７−９９）は、公知の方法で変えることができる大きさを表わすアナログ信号（ＶＳ）を発生するようになっている回路を含み、前記処理手段は、コンパレータ（９６）を含むとともに、前記大きさの予め設定された値（Ｖref）に基づいて前記第２の遅延（ΔＴＶ）を発生するようになっている請求項１〜５のいずれか一項に記載の送信システム。
【請求項１２】
前記第２の発生器がキャパシタ（９９）を含み、前記処理手段は、キャパシタ（９９）の帯電を制御するようになっているセレクタスイッチ（１０７）を含む請求項１１に記載の送信システム。
【請求項１３】
時間の特定の瞬間（ｔ０１，ｔ０２，ｔ０３）に起こる事象を表わす信号（ＯＳ；ＯＳ１，ＯＳ２；ＯＳ３）を送信するための方法であって、  −第１の周期基準信号（ＬＦＳ）を発生するステップ（１１０）と、
−前記第１の基準信号（ＬＦＳ）によって規定される第１の遅延（ΔＴＬ）を含む送信遅延（Δｔ１，Δｔ２；Δｔ３）後に事象を表わす信号（ＯＳ１，ＯＳ２；ＯＳ３）を送信するステップ（２４０）と、
を含む方法において、
−事象が起こる瞬間（ｔ０１，ｔ０２；ｔ０３）にほぼ対応する作動の瞬間を発端として、第２の基準信号（ＨＦＳ１，ＨＦＳ２；ＶＳ）の発生を促すステップ（１３０）と、  −前記第２の基準信号（ＨＦＳ１，ＨＦＳ２；ＶＳ）のパラメータの値をチェックするステップ（２２０）と、
−前記第２の基準信号（ＨＦＳ１，ＨＦＳ２；ＶＳ）の前記パラメータの予め設定された値（ＱＨＦ；Ｖ２）の到達に基づいて第２の遅延（ΔＴＨ；ΔＴＶ）を特定するステップと、
を更に含み、
前記送信遅延（Δｔ１，Δｔ２；Δｔ３）は、作動の前記瞬間（１３０）を発端として、前記第１（ΔＴＬ）および前記第２（ΔＴＨ；ΔＴＶ）の遅延の和として規定されることを特徴とする方法。
【請求項１４】
−作動の瞬間（１３０）後、前記第１の基準信号（ＬＦＳ）の周期の開始を検出するステップ（１５０）と、
−その結果として、前記第２の基準信号（ＨＦＳ１，ＨＦＳ２；ＶＳ）の前記パラメータの値のチェックを中断するステップと、
−チェックされたパラメータの現在の値（Ｐ；Ｖ１）を記憶するステップ（１６０）と、
−前記第１の遅延（ΔＴＬ）に対応する第１の基準信号（ＬＦＳ）の周期の予め設定された数（ＱＬＦ）の到達をチェックするステップ（１９０）と、
−記憶された現在の値（Ｐ；Ｖ１）を発端として、前記第２の基準信号（ＨＦＳ１，ＨＦＳ２；ＶＳ）の前記パラメータの値のチェックを続けるステップ（２１０）と、  −前記第２の遅延（ΔＴＨ；ΔＴＶ）の結果的な識別および前記送信遅延（Δｔ１，Δｔ２；Δｔ３）の定義を用いて、前記パラメータの予め設定された値（ＱＨＦ；Ｖ２）の到達をチェックするステップ（２３０）と、
を含む請求項１３に記載の方法。
【請求項１５】
前記パラメータの値のチェックが中断された後、前記チェックが再開される前に、前記第２の基準信号（ＨＦＳ１，ＨＦＳ２；ＶＳ）の発生を中断させるステップ（１７０）と、前記第２の基準信号（ＨＦＳ１，ＨＦＳ２；ＶＳ）の発生を再び促すステップ（２００）とをそれぞれ更に含む請求項１４に記載の方法。
【請求項１６】
前記第２の遅延（ΔＴＨ；ΔＴＶ）の継続時間は、前記第１の基準信号（ＬＦＳ）の周期（ＴＬＦ）の継続時間よりも短くない請求項１３〜１５のいずれか一項に記載の方法。
【請求項１７】
前記第２の基準信号（ＨＦＳ１，ＨＦＳ２）は、前記第１の基準信号（ＬＦＳ）の周波数よりも高い周波数の周期信号である請求項１３〜１６のいずれか一項に記載の方法。
【請求項１８】
前記第２の基準信号の前記パラメータが周期の数である請求項１７に記載の方法。
【請求項１９】
前記第２の基準信号は、公知の方法で変えることができる大きさを表わすアナログ信号（ＶＳ）である請求項１３〜１６のいずれか一項に記載の方法。
【請求項２０】
前記第２の基準信号の前記パラメータが電圧である請求項１９に記載の方法。
【請求項２１】
機械部品（３）の位置及び／又は寸法をチェックするためのシステムであって、
−チェックプローブ（１）と、
−前記チェックプローブに設けられ、感触器（８）を支持する可動アーム（５）と、
−前記感触器（８）と要素（３）との間の接触に加えて、接触信号（ＴＳ；ＴＳ１，ＴＳ２；ＴＳ３）を供給するようになっている検出装置（２）と、  −接触を示す信号（ＯＳ１，ＯＳ２；ＯＳ３）を無線送信するようになっている送信システム（４）と、
−接触を示す前記信号（ＯＳ１，ＯＳ２；ＯＳ３）を受けるようになっている受信器（７）と、
を含むシステムにおいて、
前記送信システム（４）が請求項１〜１２のいずれか一項に記載の送信システムであり、接触を伴う事象が前記感触器（８）と前記要素（３）との間で起こることを特徴とするシステム。